(57)【要約】【課題】  遠隔安全棒を介して、複数の治具を介して線条体を電線等の上に架設することにより鳥類が電線上に留まれなくすることで鳥害を防止する鳥害防止具を電線等に取り付ける際に、線条体が垂れ下がるのを防止し、安全でかつ効率よく鳥害防止具の取り付け作業を行うことができるような鳥害防止具仮支持具及びそれを用いた間接活線工法を提供することを課題とする。【解決手段】  鳥類が電線上に留まることを防止するために電線の略直上に架設される線条体と線条体を所定の間隔で架設するための複数の治具とからなる鳥害防止具を電線に取り付ける際に使用される鳥害防止具仮支持具１であって、電線に沿って移動できるように電線に取り付けるためのフック３と、複数の治具を支持すると共にフック３に接続されて一体的に移動できる支持部２とを具備する。【選択図】      図１
2006141267.tif 000002
【特許請求の範囲】
【請求項１】
鳥類が電線上に留まることを防止するために前記電線の略直上に架設される線条体と当該線条体を所定の間隔で架設するための複数の治具とからなる鳥害防止具を前記電線に取り付ける際に使用される鳥害防止具仮支持具であって、
前記電線に沿って移動できるように前記電線に取り付けるための取付部と、前記複数の治具を支持すると共に前記取付部に接続されて一体的に移動できる支持部とを具備することを特徴とする鳥害防止具仮支持具。
【請求項２】
請求項１において、前記複数の治具を支持する前記支持部が前記電線と略平行に配置されるように設けられたことを特徴とする鳥害防止具仮支持具。
【請求項３】
請求項１又は２において、前記複数の治具を支持する前記支持部に前記線条体を巻き付けることができる糸巻部を設けたことを特徴とする鳥害防止具仮支持具。
【請求項４】
請求項３において、前記支持部に複数の略平行な枝部を設けたことを特徴とする鳥害防止具仮支持具。
【請求項５】
請求項４において、前記治具は前記電線を狭着することにより前記電線に取り付けられるものであり、前記複数の治具を支持する前記支持部は前記複数の略平行な枝部の少なくとも一つを径が異なる枝部に交換することができることを特徴とする鳥害防止具仮支持具。
【請求項６】
請求項１において、前記支持部が、二つの棒状体が平行に配置された第１の枝部と第２の枝部と、第１の枝部の一端に連結されるＬ字型接続部と第２の枝部の一端に連結されるＬ字型接続部とを棒状体で連結した枝部連結部と、一端が前記連結部の略中央から略鉛直上方向に接続される棒状体で連結した垂直連結部と、当該垂直連結部の他端に前記第１の枝部及び前記第２の枝部と略平行でかつ前記第１の枝部及び前記第２の枝部の他端方向へ屈曲するＬ字型接続部とを棒状体で連結した平行連結部とからなり、前記取付部が前記平行連結部の略直上に設けられたことを特徴とする鳥害防止具仮支持具。
【請求項７】
請求項６において、前記第１の枝部、前記第２の枝部及び前記枝部連結部が前記垂直連結部の軸方向に自在に回動できることを特徴とする鳥害防止具仮支持具。
【請求項８】
請求項１において、前記支持部が、二つの棒状体が平行に配置された第１の枝部と第２の枝部と、第１の枝部の一端に連結されるＬ字型接続部と第２の枝部の一端に連結されるＬ字型接続部とを棒状体で連結した枝部連結部と、一端が前記連結部の略中央から前記第１の枝部及び第２の枝部の一端方向に接続されると共に略鉛直方向に屈曲する棒状体で連結した垂直連結部と、当該垂直連結部の他端に前記第１の枝部及び前記第２の枝部と略平行でかつ前記第１の枝部及び前記第２の枝部の他端方向へ屈曲するＬ字型接続部とを棒状体で連結した平行連結部とからなり、前記取付部が前記平行連結部の略直上に設けられており、前記第１の枝部、前記第２の枝部及び前記枝部連結部が前記垂直連結部の軸方向に自在に回動できると共に前記枝部連結部に対する前記第１の枝部と前記第２の枝部との相対位置を変更できることを特徴とする鳥害防止具仮支持具。
【請求項９】
請求項６〜８の何れかにおいて、前記第１の枝部及び前記第２の枝部が前記線条体を巻き付けることができる糸巻部でもあることを特徴とする鳥害防止具仮支持具。
【請求項１０】
請求項６〜９の何れかにおいて、前記治具は前記電線を狭着することにより前記電線に取り付けられるものであり、前記第１の枝部及び前記第２の枝部の少なくとも一方は径が異なる枝部に交換することができることを特徴とする鳥害防止具仮支持具。
【請求項１１】
鳥類が電線上に留まることを防止するために前記電線の略直上に架設される線条体と当該線条体を所定の間隔で架設するための複数の治具とからなる鳥害防止具を前記電線に取り付ける際に使用される鳥害防止具仮支持具であって、前記電線に沿って移動できるように前記電線に取り付けるための取付部と、前記複数の治具を支持すると共に前記取付部に接続されて一体的に移動できる支持部とを具備することを特徴とする鳥害防止具仮支持具を用いて、遠隔操作棒を介して前記電線に前記鳥害防止具を設置する間接活線工法であって、
前記取付部を介して前記鳥害防止仮支持具を前記電線に取り付け、前記支持部に支持された前記鳥害防止具を前記支持部から取り外すと共に前記鳥害防止具を前記電線に取り付け、前記鳥害防止具仮支持装置を前記電線に沿って移動させることを特徴とする前記鳥害防止仮支持具を用いた前記鳥害防止具の間接活線工法。
【発明の詳細な説明】
【技術分野】
【０００１】
本発明は、電線上にカラスなどの鳥類が留まり、その電線の直下の家屋や駐車車両等に生じる糞害等を防止するための鳥害防止具を電線に取り付ける際に、その鳥害防止具を支持する鳥害防止具仮支持具に関する。
【背景技術】
【０００２】
鳥類は電線や通信ケーブル等の上に留まる性質を有しているため、それらの直下の家屋や駐車車両等への糞公害などを起こすことが知られている。そこで、鳥類が電線の上に留まらないようにするために、さまざまな鳥害防止具が開発されてきた（例えば、特許文献１及び２参照）。
【０００３】
ところが、このような鳥害防止具を電線に取り付ける場合に、その工事区間を一端停電にすると多くの需要者に迷惑をかけるため、通常、電線が活線のままで取り付け工事をする必要がある。このような活線工事においては、作業者が直接電線に鳥害防止具を設置する直接活線工法と、絶縁された遠隔操作棒を使用して電線に鳥害防止具を設置する間接活線工法とが用いられてきた。直接活線工法では、作業者が絶縁手袋などを装着しながら作業を行うので多少の危険を伴う。一方、間接活線工法では、遠隔安全棒であるホットスティックを介して電線に鳥害防止具を設置するのでそのような危険はない。しかし、遠隔安全棒を介して鳥害防止具を取り付けるため、図８に示すような複数の治具２２０を介して糸２１０を電線３００の上に架設することにより鳥類が電線３００に留まれなくすることで鳥害を防止するという構造及びその取り付け方法が比較的単純な鳥害防止具２００を使用したとしても、垂れ下がった糸が電線に絡まるなどして鳥害防止具２００の取付作業を中断させることがあり、作業効率や安全性について問題があった。
【０００４】
【特許文献１】特開平１０−３０４８０９号公報
【特許文献２】特開２０００−１３４７７７号公報
【発明の開示】
【発明が解決しようとする課題】
【０００５】
本発明は、このような事情に鑑み、遠隔安全棒を用いて、複数の治具を介して線条体を電線等の上に架設することにより鳥類が電線上に留まれなくすることで鳥害を防止する鳥害防止具を電線等に取り付ける際に、線条体が垂れ下がるのを防止し、安全でかつ効率よく鳥害防止具の取り付け作業を行うことができるような鳥害防止具仮支持具及びその使用方法を提供することを課題とする。
【課題を解決するための手段】
【０００６】
前記課題を解決するための本発明の第１の態様は、鳥類が電線上に留まることを防止するために前記電線の略直上に架設される線条体と当該線条体を所定の間隔で架設するための複数の治具とからなる鳥害防止具を前記電線に取り付ける際に使用される鳥害防止具仮支持具であって、前記電線に沿って移動できるように前記電線に取り付けるための取付部と、前記複数の治具を支持すると共に前記取付部に接続されて一体的に移動できる支持部とを具備することを特徴とする鳥害防止具仮支持具にある。
【０００７】
かかる第１の態様では、線条体が垂れ下がるのを防止し、安全でかつ効率よく鳥害防止具を取り付けることができる。
【０００８】
本発明の第２の態様は、第１の態様において、前記複数の治具を支持する前記支持部が前記電線と略平行に配置されるように設けられたことを特徴とする鳥害防止具仮支持具にある。
【０００９】
かかる第２の態様では、支持部に支持された治具をより容易に支持部から取り外すと共に電線に取り付けることができる。
【００１０】
本発明の第３の態様は、第１又は２の態様において、前記複数の治具を支持する前記支持部に前記線条体を巻き付けることができる糸巻部を設けたことを特徴とする鳥害防止具仮支持具にある。
【００１１】
かかる第３の態様では、鳥害防止具を支持部に支持させる際及び鳥害防止具を支持部から取り外す際に、線条体が絡まりにくくすることができる。
【００１２】
本発明の第４の態様は、第３の態様において、前記支持部に複数の略平行な枝部を設けたことを特徴とする鳥害防止具仮支持具にある。
【００１３】
かかる第４の態様では、鳥害防止具の線条体を複数の枝部間で所定回数往復させたところで治具に接続させるようにすれば、各枝部間の距離が略一定であることから、容易に各治具間の線条体の長さを略一定にすることができる。
【００１４】
本発明の第５の態様は、第４の態様において、前記治具は前記電線を狭着することにより前記電線に取り付けられるものであり、前記複数の治具を支持する前記支持部は前記複数の略平行な枝部の少なくとも一つを径が異なる枝部に交換することができることを特徴とする鳥害防止具仮支持具にある。
【００１５】
かかる第５の態様では、鳥害防止具仮支持具に支持された治具をあまり調節することなく、電線に取り付けることができる。
【００１６】
本発明の第６の態様は、第１の態様において、前記支持部が、二つの棒状体が平行に配置された第１の枝部と第２の枝部と、第１の枝部の一端に連結されるＬ字型接続部と第２の枝部の一端に連結されるＬ字型接続部とを棒状体で連結した枝部連結部と、一端が前記連結部の略中央から略鉛直上方向に接続される棒状体で連結した垂直連結部と、当該垂直連結部の他端に前記第１の枝部及び前記第２の枝部と略平行でかつ前記第１の枝部及び前記第２の枝部の他端方向へ屈曲するＬ字型接続部とを棒状体で連結した平行連結部とからなり、前記取付部が前記平行連結部の略直上に設けられたことを特徴とする鳥害防止具仮支持具にある。
【００１７】
かかる第６の態様では、第１の枝部又は第２の枝部に支持された治具をより容易に第１の枝部又は第２の枝部から取り外すと共に電線に取り付けることができ、かつ、鳥害防止具の線条体を第１の枝部及び第２の枝部の間で所定回数往復させたところで治具に接続させるようにすれば、第１の枝部と第２の枝部との間の距離が一定であることから、容易に各治具間の線条体の長さを略一定にすることができ、さらに、より容易に線条体が垂れ下がるのを防止し、安全でかつ効率よく鳥害防止具を取り付けることができる。
【００１８】
本発明の第７の態様は、第６の態様において、前記第１の枝部、前記第２の枝部及び前記枝部連結部が前記垂直連結部の軸方向に自在に回動できることを特徴とする鳥害防止具仮支持具にある。
【００１９】
かかる第７の態様では、鳥害防止具仮支持具に鳥害防止具を取り付ける際に、第１の枝部、第２の枝部及び枝部連結部を水平方向に回動させることによって、鳥害防止具仮支持具に鳥害防止具を取り付ける作業を効率的に行うことができる。
【００２０】
本発明の第８の態様は、第１の態様において、前記支持部が、二つの棒状体が平行に配置された第１の枝部と第２の枝部と、第１の枝部の一端に連結されるＬ字型接続部と第２の枝部の一端に連結されるＬ字型接続部とを棒状体で連結した枝部連結部と、一端が前記連結部の略中央から前記第１の枝部及び第２の枝部の一端方向に接続されると共に略鉛直方向に屈曲する棒状体で連結した垂直連結部と、当該垂直連結部の他端に前記第１の枝部及び前記第２の枝部と略平行でかつ前記第１の枝部及び前記第２の枝部の他端方向へ屈曲するＬ字型接続部とを棒状体で連結した平行連結部とからなり、前記取付部が前記平行連結部の略直上に設けられており、前記第１の枝部、前記第２の枝部及び前記枝部連結部が前記垂直連結部の軸方向に自在に回動できると共に前記枝部連結部に対する前記第１の枝部と前記第２の枝部との相対位置を変更できることを特徴とする鳥害防止具仮支持具にある。
【００２１】
かかる第８の態様では、第１の枝部又は第２の枝部に支持された治具をより容易に第１の枝部又は第２の枝部から取り外すと共に電線に取り付けることができ、かつ、鳥害防止具の線条体を第１の枝部及び第２の枝部の間で所定回数往復させたところで治具に接続させるようにすれば、各枝部間の距離が略一定であることから、容易に各治具間の線条体の長さを略一定にすることができ、さらに、より容易に線条体が垂れ下がるのを防止し、安全でかつ効率よく鳥害防止具を取り付けることができ、加えて、第１の枝部又は第２の枝部を交換した場合と同様の効果が得られる。
【００２２】
本発明の第９の態様は、第６〜８の何れかの態様において、前記第１の枝部及び前記第２の枝部が前記線条体を巻き付けることができる糸巻部でもあることを特徴とする鳥害防止具仮支持具。
【００２３】
かかる第９の態様では、鳥害防止具を第１の枝部又は第２の枝部に支持させる際及び鳥害防止具を第１の枝部又は第２の枝部から取り外す際に、線条体が絡まりにくくすることができる。
【００２４】
本発明の第１０の態様は、第６〜９の何れかの態様において、前記治具は前記電線を狭着することにより前記電線に取り付けられるものであり、前記第１の枝部及び前記第２の枝部の少なくとも一方は径が異なる枝部に交換することができることを特徴とする鳥害防止具仮支持具にある。
【００２５】
かかる第１０の態様では、第１の枝部及び第２の枝部の少なくとも一方に支持された治具をあまり調節することなく、電線に取り付けることができる。
【００２６】
本発明の第１１の態様は、鳥類が電線上に留まることを防止するために前記電線の略直上に架設される線条体と当該線条体を所定の間隔で架設するための複数の治具とからなる鳥害防止具を前記電線に取り付ける際に使用される鳥害防止具仮支持具であって、前記電線に沿って移動できるように前記電線に取り付けるための取付部と、前記複数の治具を支持すると共に前記取付部に接続されて一体的に移動できる支持部とを具備することを特徴とする鳥害防止具仮支持具を用いて、遠隔操作棒を介して前記電線に前記鳥害防止具を設置する間接活線工法であって、前記取付部を介して前記鳥害防止仮支持具を前記電線に取り付け、前記支持部に支持された前記鳥害防止具を前記支持部から取り外すと共に前記鳥害防止具を前記電線に取り付け、前記鳥害防止具仮支持装置を前記電線に沿って移動させることを特徴とする前記鳥害防止仮支持具を用いた前記鳥害防止具の間接活線工法にある。
【００２７】
かかる第１１の態様では、線条体が垂れ下がるのを防止し、安全でかつ効率よく鳥害防止具の取り付け作業を行うことができる。
【発明の効果】
【００２８】
本発明によれば、遠隔安全棒を用いて、複数の治具を介して線条体を電線等の上に架設することにより鳥類が電線上に留まれなくすることで鳥害を防止する鳥害防止具を電線等に取り付ける際に、線条体が垂れ下がるのを防止し、安全でかつ効率よく鳥害防止具の取り付け作業を行うことができ、結果的に、鳥害防止具の設置及びメンテナンスにかかるコストを抑えることができる。
【発明を実施するための最良の形態】
【００２９】
以下、図面を用いて本発明を実施するための最良の形態について説明する。なお、本実施形態の説明は例示であり、本発明の構成は以下の説明に限定されない。
【００３０】
（実施形態１）
本発明に係る鳥害防止具仮支持具１は、鳥類が電線上に留まることを防止するために電線の直上に架設される糸とその糸を所定の間隔で架設するための複数の治具とからなる鳥害防止具を電線に取り付ける際に使用されるものである。
【００３１】
図１は、本発明の実施形態１に係る鳥害防止具仮支持具１の概略図である。図１に示すように、本発明に係る鳥害防止仮支持具１は、複数の治具を支持する支持部２と、電線に沿って移動できるように電線に取り付けるための取付部であるフック３とを具備するものである。支持部２は、二つの棒状体が平行に配置された糸巻部でもある第１の枝部１０及び第２の枝部１１と、第１の枝部１０の一端に連結されるＬ字型接続部１２と第２の枝部１１の一端に連結されるＬ字型接続部１３とを棒状体で連結した枝部連結部１４とからなるコ字状部を具備する。さらに、支持部２は、このようなコ字状部と、一端が枝部連結部１４の中央に設けられたＴ字型接続部１５と鉛直上方向に接続される棒状体で連結した垂直連結部１６と、垂直連結部１６の他端に第１の枝部１０及び第２の枝部１１と平行でかつ第１の枝部１０及び第２の枝部１１の他端方向へ屈曲するＬ字型接続部１７とを棒状体で連結した平行連結部１８とからなるものである。
【００３２】
第１の枝部１０及び第２の枝部１１は、鳥害防止具の治具を支持するものであると共に鳥害防止具の糸を巻き付ける糸巻部でもある。具体的には、図２に示すように、第１の枝部１０及び第２の枝部１１は、複数の治具３２を介して糸３１を電線等の上に架設することにより鳥類が電線上に留まれなくすることで鳥害を防止する鳥害防止具３０の治具３２を支持すると共に鳥害防止具３０の糸３１を巻き付ける糸巻部でもある。このような構成とすることにより、鳥害防止具３０の糸３１を第１の枝部１０と第２の枝部１１との間で往復させるように糸３１を巻き付けることによって、鳥害防止具３０の糸３１を第１の枝部１０と第２の枝部１１とに巻き付ける際、又はそのように巻き付けられた鳥害防止具３０の糸３１を第１の枝部１０と第２の枝部１１とから取り外す際に、鳥害防止具３０の糸３１が絡まないようにすることができる。また、この鳥害防止具仮支持具１を用いて、鳥害防止具３０の糸３１を第１の枝部１０と第２の枝部１１との間で所定回数往復させたところで治具３２に接続させるようにすれば、第１の枝部１０と第２の枝部１１との距離が一定であることから、各治具３２の間の糸３１の長さを容易に一定に保つことができる。
【００３３】
また、第１の枝部１０及び第２の枝部１１は、それぞれの枝部に接続されているＬ字型接続部１２、１３において脱着可能となっている。したがって、第１の枝部１０及び第２の枝部１１は、鳥害防止具３０を取り付ける電線などの径と同程度の径を有する枝部に交換された後、その枝部に鳥害防止具３０の治具３２を支持させることができる。すると、図３に示すような上部把持部４１と下部把持部４２とで電線を狭着することより鳥害防止具３０を電線に取り付ける治具４０を用いる場合には、取り付け先の電線と同程度の径を有する枝部を用いることにより、枝部から治具４０を取り外したときの上部把持部４１と下部把持部４２との間の距離ｄを、それ程調節せずに電線に治具４０を固定することができる。なお、図１又は図２に示すように、第１の枝部１０の径と第２の枝部１１の径とは異なっていても、同じであってもよい。
【００３４】
さらに、本実施形態では、支持部２は２つの枝部１０、１１を有しているが、鳥害防止具３０を取り付けることができるならば、支持部２は枝部を設けなくても、３つ以上の枝部を設けてもよい。また、本実施形態では、鳥害防止具仮支持具１を電線に取り付けたときに第１の枝部１０及び第２の枝部１１が電線と略平行になるように配置しているので、鳥害防止具３０の取付作業を効率よく行うことができるが、必ずしも枝部１０、１１は電線と略平行に配置されていなくともよい。
【００３５】
なお、第１の枝部及び第２の枝部１１は、それらによって支持される鳥害防止具３０の重量を支えることができるものであれば特に限定されない。
【００３６】
次に、図１に示すように、枝部連結部１４は、Ｔ字型接続部１５において垂直連結部１６の軸方向周りに自在に回動することができるようになっている。枝部連結部１４は垂直連結部１６の軸方向に回動することができるので、枝部連結部１４に接続されている第１の枝部１０及び第２の枝部１１も枝部連結部１４と連動して垂直連結部１６の軸方向、すなわち水平方向に自在に回動することができる。すると、第１の枝部１０、第２の枝部１１及び枝部連結部１４の上方に位置する平行連結部１８が鳥害防止具仮支持具１に鳥害防止具３０を取り付ける作業の障害となる場合に、第１の枝部１０、第２の枝部１１及び枝部連結部１４を水平方向に回動させることによって、鳥害防止具仮支持具１に鳥害防止具３０を取り付ける作業を効率的に行うことができる。
【００３７】
フック３は、支持部２及び支持部２に支持される鳥害防止具３０の重量を支えることができるものであれば特に限定されない。なお、本実施形態ではフック３を用いているが、電線に沿って移動できるように電線に取り付けることができるものであれば特に限定されない。
【００３８】
Ｌ字型接続部１２、１３、１７、Ｔ字型接続部１５及び棒状の連結部１４、１６、１８は、それらに接続されるもの及び鳥害防止具３０の重量を支えることができるものであれば特に限定されない。
【００３９】
次に、本発明の鳥害防止具仮支持具１を用いて、鳥類が電線上に留まることを防止するために電線の直上に架設される糸３１とその糸３１を所定の間隔で架設するための複数の治具３２とからなる鳥害防止具３０を電線５０に取り付ける方法を説明する。まず、図２に示すように、鳥害防止具３０の治具３２が第１の枝部１０にのみ支持されると共に鳥害防止具３０の糸３１が第１の枝部１０と第２の枝部１１との間を往復するように巻き付けるようにする。なお、本実施形態では、鳥害防止具３０の治具３２を第１の枝部１０にのみ取り付けたが、鳥害防止具３０の治具３２を取り付ける枝は第２の枝部１１のみに取り付けても、両方の枝部１０、１１に鳥害防止具３０の治具３２を交互に取り付けてもよい。
【００４０】
次に、図４に示すように、鳥害防止具３０が取り付けられた鳥害防止具仮支持具１を電線５０に吊り下げる。そして、図４及び図５に示すように、鳥害防止具３０の一方の端部にある治具３２ａを遠隔安全棒であるホットスティック５１を用いて第１の枝部１０から取り外し、電線５０の所定の位置に取り付ける。
【００４１】
そして、鳥害防止具仮支持具１を図５に示すＡ方向に移動させ、図６に示すように、その治具３２ａから糸３１を介して接続されている治具３２ｂを治具３２ａのときと同様に第１の枝部１０から取り外し、電線５０の所定の位置に取り付ける。そして、これらの動作を繰り返すことによって、電線５０の上に鳥害防止具３０を取り付けることができる。
【００４２】
このように、本発明の鳥害防止具仮支持具１を用いると、ホットスティック５１を用いて、鳥害防止具３０を電線５０に取り付ける際に、糸３１が垂れ下がるのを防止することができ、結果的に安全でかつ効率よく鳥害防止具３０を取り付けることができる。
【００４３】
（他の実施形態）
本実施形態１では、枝部連結部１４に対して第１の枝部１０及び第２の枝部１２の位置は固定されていたが、それぞれの枝部の位置を相対的に変化できるように、例えば図７に示すようにＴ字型接続部１５を鉛直上方向に屈曲させて垂直連結部１６に接続させると共に、その屈曲させた部分の下方にＴ字型接続部１５の軸方向に自在に回動できる回動部６０を設けてもよい。この構成とすることにより、本実施形態１の効果に加え、第１の枝部１０又は第２の枝部１１を交換することなく、第１の枝部１０と第２の枝部１１の相対位置を変更することができる。なお、本実施形態１では、Ｔ字型接続部１５を屈曲させたが、垂直連結部１６を同様に屈曲させ、その屈曲させた部分の上方に垂直連結部１６の軸方向に自在に回動できる回動部を設けてもよい。この形態でも同様の効果が得られる。
【図面の簡単な説明】
【００４４】
【図１】本発明の実施形態１に係る鳥害防止具仮支持具の概略図である。
【図２】本発明の実施形態１に係る鳥害防止具仮支持具に鳥害防止具を取り付けた場合の概略図である。
【図３】本発明の実施形態１に用いる鳥害防止具を構成する治具の概略図である。
【図４】本発明の実施形態１に係る鳥害防止具仮支持具を用いて電線に鳥害防止具を取り付ける際の概略図である。
【図５】本発明の実施形態１に係る鳥害防止具仮支持具を用いて電線に鳥害防止具を取り付ける際の概略図である。
【図６】本発明の実施形態１に係る鳥害防止具仮支持具を用いて電線に鳥害防止具を取り付ける際の概略図である。
【図７】本発明のその他の実施形態に係る鳥害防止具仮支持具の概念図である。
【図８】鳥害防止具が取り付けられた電線を示す概略図である。
【符号の説明】
【００４５】
１  鳥害防止具仮支持具
２  支持部
３  フック
１０  第１の枝部
１１  第２の枝部
１２，１３，１７  Ｌ字型接続部
１４  枝部連結部
１５  Ｔ字型接続部
１６  垂直連結部
１８  平行連結部
３０  鳥害防止具
３１  糸
３２，４０  治具
４１  上部把持部
４２  下部把持部
５０  電線
５１  ホットスティック
６０  回動部
【図１】
2006141267.tif 000003
【図２】
2006141267.tif 000004
【図３】
2006141267.tif 000005
【図４】
2006141267.tif 000006
【図５】
2006141267.tif 000007
【図６】
2006141267.tif 000008
【図７】
2006141267.tif 000009
【図８】
2006141267.tif 000010